(57)【要約】【課題】電磁弁の電磁駆動部において、ヨークの内孔とプランジャの隙間に入った鉄粉が蓄積されてプランジャの動きを悪くし、ロックさせるのを防止する。【解決手段】同軸的に配列されたヨーク１２およびコア１３内に形成した内孔１１ａにより摺動自在に案内支持したプランジャ１６を、電磁コイル１７により移動させて弁部２０のスプール２２を作動させる。内孔の内面とプランジャの端面により形成されプランジャの移動に応じて容積が変化する空間Ａを吸排通路１８を介して外部に連通する。プランジャおよびヨークの少なくとも何れか一方は、空間側となるプランジャの外面またはヨークの内面を構成する部分を、その端面からプランジャの最大ストロークよりも大きい範囲にわたり非磁性体により形成する。プランジャの外面またはヨークの内面には、環状の異物除去溝１９，１９ａを形成することが好ましい。【選択図】    図１
2004232749.tif 000002
【特許請求の範囲】
【請求項１】
軸線方向に沿って同軸的に配列されたヨークおよびコアとこの両者の外側を覆うとともにそれらの両端部を磁気的に接続して磁路を形成するカバーよりなるステータと、このステータ内に前記ヨークおよびコアにわたり形成された内孔と、この内孔により摺動自在に案内支持されスプリングにより一方向に付勢されたプランジャと、前記ステータを磁化させて前記プランジャを前記スプリングに抗して軸線方向に移動させる電磁コイルと、前記ステータに取り付けられた弁スリーブと、この弁スリーブに摺動自在に案内支持されて前記プランジャにより作動されるスプールよりなり、前記ヨークに形成された前記内孔の内面と前記プランジャの一方の端面により形成され前記プランジャの移動に応じて容積が変化する空間を吸排通路を介して外部に連通してなる電磁弁において、前記プランジャおよびヨークの少なくとも何れか一方は、前記空間側となる前記プランジャの外面または前記ヨークの内面を構成する部分を、その端面から前記プランジャの最大ストロークよりも大きい範囲にわたり非磁性体により形成したことを特徴とする電磁弁。
【請求項２】
請求項１に記載の電磁弁において、前記ヨークは前記電磁コイル内に挿入される小径部とそれより前記空間側となる大径部よりなるものとし、前記プランジャの外面または前記ヨークの大径部の内面を構成する部分の非磁性体により形成される範囲は、前記プランジャが最大ストロークした状態において、前記ヨークの大径部の内面を構成する部分の磁性体により形成される範囲と前記プランジャの外面を構成する部分の磁性体により形成される範囲が相当な長さにわたり重合されるように充分小さくしたことを特徴とする電磁弁。
【請求項３】
請求項１または請求項２に記載の電磁弁において、前記プランジャの外面および前記ヨークの内面の少なくとも何れか一方には、前記空間側となる端面から前記プランジャの最大ストロークよりも大きい距離だけ離れた位置に環状の異物除去溝を形成したことを特徴とする電磁弁。
【請求項４】
請求項３に記載の電磁弁において、前記異物除去溝は、前記空間側となる前記プランジャまたはヨークの端面から、前記非磁性体により形成される範囲の長さと同程度またはそれより小さい距離だけ離れた位置に形成したことを特徴とする電磁弁。
【発明の詳細な説明】
【０００１】
【発明の属する技術分野】
本発明は、電磁駆動部のプランジャの軸線方向移動により弁部のスプールを作動させるようにした電磁弁、特に車両の電子制御式自動変速機のオイルパンなどの内部に設けて使用するのに適した電磁弁に関する。
【０００２】
【従来の技術】
この種の電磁弁には、第１のソレノイドハウジング（コア）および第２のソレノイドハウジング（ヨーク）を同軸的に配列し、このソレノイドハウジングに形成した摺動孔によりプランジャを摺動可能に案内支持し、ソレノイドハウジングをソレノイドにより磁化させてプランジャをスプリングに抗して軸線方向に移動させることにより、ソレノイドハウジングに取り付けられたスプールハウジング内のスプールを作動させるようにしたものがある。ソレノイドハウジングに形成された摺動孔とプランジャの端面とカバーの間に形成される空間はプランジャの移動に応じて容積が変化するので、この空間は吸排通路を介して外部に連通されている（例えば特許文献１、特にその従来技術の記載参照）。この技術では、プランジャを摺動孔により摺動可能に案内支持しているので、プランジャと摺動孔の間に異物がかみ込んだとき、プランジャがロックするおそれがある。そこでこのような問題を解決するために、プランジャを、嵌合孔に進退可能に嵌合され中心に圧入穴を形成した磁性体からなる可動部材と、可動部材の圧入穴に圧入され可動部材からスプール側へ突出したシャフトで構成し、可動部材を嵌合孔から浮いた状態で支持すべくスプールにシャフトの一端が嵌め込まれる凹みを形成することが行われている（例えば、特許文献１参照）。
【０００３】
しかしながら、上述した後の技術では、磁性体からなる可動部材とソレノイドハウジングの間に隙間が生じ、これにより磁気回路の磁気抵抗が増大してソレノイドハウジングと可動部材の磁化が減少し、このためプランジャに加わる磁気的吸引力が減少して電磁弁の作動特性が不安定になり、あるいは同じ作動特性を得るためにはソレノイドが大型化するという問題がある。
【０００４】
このような問題を解決する手段として、図３および図４に示す技術がある。これは、電磁駆動部１と弁部２０よりなる電磁弁で、電磁駆動部１は、磁性体よりなるヨーク３とコア４をエアギャップ（非磁性部）６を介して同軸的に配列しこの両者の外側を覆うカバー５によりそれらの両端部を磁気的に接続してステータ２を形成し、このステータ２内のヨーク３およびコア４にわたり形成した内孔２ａに磁性体よりなるプランジャ７を摺動可能に案内支持し、ヨーク３およびコア４とカバー５の間に電磁コイル８を設けたものである。また弁部２０は、ステータ２に取り付けられる弁スリーブ２１内にスプール２２を摺動自在に嵌合支持したもので、スプール２２は弁スリーブ２１の後端に設けた栓部材２３との間に介装したスプリング２４によりプランジャ７に向けて付勢されてその前端の突出部２２ａがプランジャ７に当接され、これにより不作動状態ではプランジャ７の前端はカバー５の内端面に当接されている（図３の上半部参照）。電磁コイル８に通電すれば通電量に応じてステータ２が磁化されてプランジャ７はスプリング２４に抗してコア４側に向かって吸引され、スプール２２を移動させて弁部２０を作動させる（図３の下半部参照）。
【０００５】
ヨーク３に形成された内孔２ａの内面とプランジャ７の先端面とカバー５の内端面の間に形成される空間Ａは吸排通路９を介して外部に連通され、この吸排通路９は、図３および図４に示すように、カバー５の内端面の中央に形成された凹部９ａと、ヨーク３の外周面とカバー５の内周面の間に形成された環状空間９ｃと、カバー５の内端面に形成されて凹部９ａを環状空間９ｃの上部に連通する溝９ｂと、カバー５の外周部の下部に設けられて環状空間９ｃに開口する穴９ｄにより形成されている。空間Ａはプランジャ７の移動に応じて容積が変化し、この電磁弁がオイルパンなどの内部に設けられている場合は、プランジャ７の往復動に伴い吸排通路９を介して周囲のオイルが空間Ａ内に出入りされる。
【０００６】
この図３および図４に示す従来技術では、磁性体からなるプランジャ７はヨーク３およびコア４に摺動自在に嵌合支持され、それらの間の隙間は僅かであるのでこれらにより形成される磁気回路の磁気抵抗の増大により、ステータ２およびプランジャ７の磁化が減少することはないので、プランジャ７に加わる吸引力が減少して電磁弁の作動特性が不安定になったり、あるいは同じ作動特性を得るためにソレノイドが大型化するという問題はない。また、電磁弁の外部となる周囲のオイルは吸排通路９を介して空間Ａ内に出入りされるが、この吸排通路９は凹部９ａ、溝９ｂ、環状空間９ｃおよび穴９ｄよりなる長くかつ大きく上下する形状であるので、周囲のオイル中に浮遊する微細な異物は上下に長い環状空間９ｃ内を往復動している間に沈降することにより大部分が除去され、すぐに空間Ａ内に入ることはない。この図３および図４に示す技術は比較例として示すもので公知技術ではなく、またそのような構造を記載した文献は見当たらない。
【０００７】
【特許文献１】
特開平１−２４２８８４号公報（第１頁右下欄第１０行〜第２頁右上欄第２行目、第１図および第２図）。
【０００８】
【発明が解決しようとする課題】
図３および図４に示す技術のプランジャ７は空間Ａ側となる先端まで磁性体により形成されているので、電磁コイル８への通電によりプランジャ７が、図３の下半部に示すように移動された状態では、磁束Ｇは露出されるヨーク３の内孔２ａの内面の近くを通り、従ってこの露出された内孔２ａの内面も強く帯磁される。またこの技術では、吸排通路９を通って外部から空間Ａに出入りするオイル内に浮遊する異物は時間の経過とともに次第に空間Ａ内に入り、長時間経過後にはその含有量は周囲のオイルと同じになる。この異物のうち軸受や歯車などの摩擦部分で発生した微細な鉄粉異物は、スプリング２４に抗してプランジャ７が移動した際に露出される強く帯磁されたヨーク３の内孔２ａの内面に磁力により吸着され、一旦このように吸着された鉄粉が再び離れることは期待できないので内孔２ａの内面に吸着される鉄粉は蓄積されて増加する一方となり、これが互いに摺動するヨーク３とプランジャ７間に入り込んでプランジャ７の動きを次第に悪くし、ついにはプランジャ７をロックさせるおそれがある。
【０００９】
本発明はプランジャ７が移動した際に露出されるヨーク３の内孔２ａの内面の帯磁を減少させて、このような問題を解決することを目的とする。
【００１０】
【課題を解決するための手段】
このために、本発明による電磁弁は、軸線方向に沿って同軸的に配列されたヨークおよびコアとこの両者の外側を覆うとともにそれらの両端部を磁気的に接続して磁路を形成するカバーよりなるステータと、このステータ内にヨークおよびコアにわたり形成された内孔と、この内孔により摺動自在に案内支持されスプリングにより一方向に付勢されたプランジャと、ステータを磁化させてプランジャをスプリングに抗して軸線方向に移動させる電磁コイルと、ステータに取り付けられた弁スリーブと、この弁スリーブに摺動自在に案内支持されてプランジャにより作動されるスプールよりなり、ヨークに形成された内孔の内面とプランジャの一方の端面の間に形成されプランジャの移動に応じて容積が変化する空間を吸排通路を介して外部に連通してなる電磁弁において、プランジャおよびヨークの少なくとも何れか一方は、空間側となるプランジャの外面またはヨークの内面を構成する部分を、その端面からプランジャの最大ストロークよりも大きい範囲にわたり非磁性体により形成したことを特徴とするものである。
【００１１】
前項に記載の電磁弁のヨークは電磁コイル内に挿入される小径部とそれより空間側となる大径部よりなるものとし、プランジャの外面またはヨークの大径部の内面を構成する部分の非磁性体により形成される範囲は、プランジャが最大ストロークした状態において、ヨークの大径部の内面を構成する部分の磁性体により形成される範囲とプランジャの外面を構成する部分の磁性体により形成される範囲が相当な長さにわたり重合されるように充分小さくすることが好ましい。
【００１２】
前２項に記載の電磁弁は、プランジャの外面およびヨークの内面の少なくとも何れか一方には、空間側となる端面からプランジャの最大ストロークよりも大きい距離だけ離れた位置に環状の異物除去溝を形成することが好ましい。
【００１３】
前項に記載の電磁弁の異物除去溝は、空間側となるプランジャまたはヨークの端面から、非磁性体により形成される範囲の長さと同程度またはそれより小さい距離だけ離れた位置に形成することが好ましい。
【００１４】
【発明の作用および効果】
本発明によれば、プランジャおよびヨークの少なくとも何れか一方は、空間側となるプランジャの外面またはヨークの内面を構成する部分を、その端面からプランジャの最大ストロークよりも大きい範囲にわたり非磁性体により形成したので、この非磁性体により形成された範囲ではプランジャおよびヨークの何れも帯磁されることがなくなり、あるいは帯磁されることが少なくなる。これによりスプリングに抗してプランジャが移動した際に露出されるヨークの内孔の内面も帯磁されることがなくなり、あるいは帯磁されることが少なくなる。従ってヨークの内孔の内面に磁力により鉄粉が吸着されることは殆どなくなり、一旦吸着された鉄粉も比較的容易に離れるので、ヨークの内孔の内面に吸着される鉄粉が蓄積されることはなくなり、あるいは蓄積の速度が減少する。従ってこのような鉄粉の吸着によりプランジャの動きを悪くしたり、プランジャをロックしたりするおそれはなくなり、あるいはそのような状態に達するまでの時間を延ばすことができる。またこれによりプランジャの動きが軽くなるので、電磁コイルを小さくして電磁弁を小形化することができる。
【００１５】
請求項２の発明によれば、電磁弁のヨークは電磁コイル内に挿入される小径部とそれより空間側となる大径部よりなるものとし、プランジャの外面またはヨークの大径部の内面を構成する部分の非磁性体により形成される範囲は、プランジャが最大ストロークした状態において、ヨークの大径部の内面を構成する部分の磁性体により形成される範囲とプランジャの外面を構成する部分の磁性体により形成される範囲が相当な長さにわたり重合されるように充分小さくしたので、このような非磁性体を設けてもプランジャに加わる磁気的吸引力が減少して電磁弁の作動特性に悪影響を及ぼすことはない。
【００１６】
請求項３の発明によれば、プランジャの外面およびヨークの内面の少なくとも何れか一方には、空間側となる端面からプランジャの最大ストロークよりも大きい距離だけ離れた位置に環状の異物除去溝を形成したので、ヨークとプランジャ間に入り込んでプランジャの移動に伴い移動する異物は異物除去溝内に入って除去され、それより奥に達することは殆どなくなる。従って異物によりプランジャの動きが悪くなったり、プランジャをロックしたりするおそれは一層少なくなり、またそのような状態に達するまでの時間を一層増大させることができる。
【００１７】
請求項４の発明によれば、異物除去溝を、空間側となるプランジャまたはヨークの端面から、非磁性体により形成される範囲の長さと同程度またはそれより小さい距離だけ離れた位置に形成したので、ヨークとプランジャ間に入り込んだ異物はヨークとプランジャの両方が磁性体よりなる奥部に達することは殆どなくなる。従ってヨークとプランジャの両方が磁性体よりなる範囲に鉄粉が入り込み蓄積されてプランジャの動きを悪くしたり、プランジャをロックしたりするおそれはさらに一層少なくなり、あるいはそのような状態に達するまでの時間をさらに一層増大させることができる。
【００１８】
【発明の実施の形態】
以下に、図１に示す実施の形態により、本発明による電磁弁の説明をする。この実施の形態の電磁弁は、互いに同軸的に設けられた電磁駆動部１０および弁部２０よりなるもので、電磁駆動部１０のヨーク１２およびプランジャ１６を除き図３および図４に示す従来技術と同一である。
【００１９】
電磁駆動部１０はステータ１１とプランジャ１６と電磁コイル１７よりなるものである。ステータ１１は、非磁性体のパイプ１５を介して同軸的に連結され間にエアギャップ（非磁性部）１５ａが形成された磁性体よりなるヨーク１２およびコア１３と、このヨーク１２およびコア１３を覆うとともにこの両者の両端部を磁気的に接続して磁気回路を形成する磁性体のカバー１４よりなるもので、ヨーク１２とコア１３にわたり軸心が同一（図示の実施形態では同一径）の内孔１１ａが形成されている。ヨーク１２は、電磁コイル１７内に挿入される小径部と、それより空間Ａ（後述）側となる大径部により形成されている。
【００２０】
内孔１１ａ内に摺動自在に案内支持されるプランジャ１６は、互いに同一径の本体部１６ａと帯磁防止部１６ｂよりなり、この両者は非磁性体よりなる帯磁防止部１６ｂの一端に形成した突起を、磁性体よりなる本体部１６ａの先端に形成した穴に圧入することにより互いに同軸的に固着したものである。このプランジャ１６は帯磁防止部１６ｂがヨーク１２側となるように内孔１１ａ内に挿入され、帯磁防止部１６ｂ側の先端がカバー１４の内端面に当接する位置（図１の上半部参照）と、本体部１６ａ側の後端が非磁性体のワッシャ１３ａを介してコア１３の段部に当接する位置（図１の下半部参照）の間で移動可能である。帯磁防止部１６ｂ側となるプランジャ１６の先端面と、ヨーク１２に形成された内孔１１ａの内面と、カバー１４の内端面の間には、プランジャ１６の移動に応じて容積が変化する空間Ａが形成される。空間Ａは、カバー１４の内端面の中央に形成された凹部１８ａ、溝１８ｂ、環状空間１８ｃおよび穴１８ｄよりなる吸排通路１８を介して外部に連通されているが、その構造は図３および４に示す従来技術と同一なので詳細な説明は省略する。
【００２１】
プランジャ１６の先端部に設ける帯磁防止部１６ｂの外周部の軸線方向長さＤは、プランジャ１６の最大ストロークＣよりも大きくし（例えば最大ストロークＣの約２倍）、また最大ストロークした状態において、全体が磁性体により形成されるヨーク１２の大径部の内面の全範囲と、プランジャ１６のうち帯磁防止部１６ｂを除く磁性体により形成される本体部１６ａの外面の範囲が、相当な長さＥにわたり重合されて必要な磁束を確保できる程度に充分小さくする（例えばＥ＞２×Ｂ、Ｂはヨーク１２の小径部の肉厚）。また空間Ａ側となるヨーク１２の内孔１１ａの内面には環状の異物除去溝１９が形成され、空間Ａ側となるヨーク１２の端面からこの異物除去溝１９間での距離は、プランジャ１６の最大ストロークＣよりも大きくし、帯磁防止部１６ｂの軸線方向長さＤと同程度またはそれより小さくする。
【００２２】
弁部２０は、弁スリーブ２１とこれに摺動自在に嵌合支持されたスプール２２よりなるもので、弁スリーブ２１はその一端のフランジ部がカバー１４の端部によりコア１３にかしめられて、ステータ１１と同軸的に固定されている。スプール２２は、弁スリーブ２１の後端にねじ込まれた栓部材２３との間に介装したスプリング２４により電磁駆動部１０側に向けて付勢されてその先端に形成された突出部２２ａがプランジャ１６の後端面に当接され、これにより不作動状態ではプランジャ１６の前端はカバー１４の内端面に当接されている（図３の上半部参照）。
【００２３】
電磁コイル１７に通電すれば、通電量に応じてステータ１１が磁化されてプランジャ１６はコア１３側に向かって吸引され、スプール２２をスプリング２４に抗して移動させて弁部２０を作動させる（図３の下半部参照）。このプランジャ１６の移動に応じて空間Ａの容積が変化し、この電磁弁がオイルパンなどの内部に設けられている場合は、プランジャ１６の往復動に伴い吸排通路１８を介して周囲のオイルが空間Ａ内に出入りされる。従って空間Ａ内の鉄粉を含む異物の浮遊量は前述した従来技術の場合と同様、長時間経過後には周囲のオイルと同じになる。
【００２４】
電磁コイル１７に通電され、ステータ１１が磁化されて、図１の下半部に示すようにプランジャ１６がスプリング２４に抗して移動された状態では、磁束は主として磁性体よりなるプランジャ１６の本体部１６ａ内を通り、非磁性体の帯磁防止部１６ｂ内を通る磁束は僅かであるので、磁束Ｇは空間Ａ内に露出されるヨーク１２の内孔１１ａの内面から離れた位置を通る。従って空間Ａ内に露出される内孔１１ａの内面が強く帯磁されることはないので、空間Ａ内のオイル中に浮遊する鉄粉が磁力により内孔１１ａの内面に吸着されることは少なく、一旦吸着された鉄粉も比較的容易に離れる。従って、このような鉄粉が内孔１１ａの内面に吸着されて蓄積され、互いに摺動するヨーク１２とプランジャ１６の間に入り込んでプランジャ１６の動きを悪くしたり、プランジャ１６をロックさせたりするおそれはなくなり、あるいはそのような状態に達するまでの時間を延ばすことができる。またこれによりプランジャ１６の動きが軽くなるので、電磁コイル１７を小さくして電磁弁を小形化することができる。
【００２５】
空間Ａ内に露出する内孔１１ａの内面に付着したオイル中の異物は、プランジャ１６の往復動により移動され、内孔１１ａとプランジャ１６の間の隙間内に入って次第にこの隙間の奥に移動しようとするが、この異物は内孔１１ａの内面に形成した異物除去溝１９内に入ってプランジャ１６の外周面およびヨーク１２の内孔１１ａから除去され、それより奥のヨーク１２とプランジャ１６の両方の何れもが磁性体よりなる範囲に達することは殆どなくなる。従ってヨーク１２とプランジャ１６の両方が磁性体よりなる範囲の隙間に鉄粉が入り込み蓄積されてプランジャの動きを悪くしたり、プランジャをロックさせたりするおそれは一層減少し、あるいはそのような状態に達するまでの時間は一層増大される。
【００２６】
上述した実施の形態では、プランジャ１６の先端部に設ける非磁性体の帯磁防止部１６ｂの外周部の軸線方向長さＤを、最大ストロークした状態におけるプランジャ１６の本体部１６ａとヨーク１２の大径部の間の重合部分の長さＥが必要な磁束を確保できる程度に充分小さくしており、このようにすればプランジャ１６の本体部１６ａとヨーク１２の間の重合部分の長さＥが減少し過ぎることはないので、プランジャ１６に非磁性体の帯磁防止部１６ｂを設けてもプランジャ１６に加わる磁気的吸引力が減少して電磁弁の作動特性に悪影響を及ぼすことはない。
【００２７】
なお上述した実施の形態では、吸排通路１８の環状空間１８ｃは電磁コイル１７の一端とカバー１４の内端面の間の全幅にわたって形成したが、本発明は、電磁コイル１７の一端と穴１８ｄの間となるヨーク１２の外周部にカバー１４の内周面に当接する大径部１２ａ（二点鎖線参照）を形成し環状空間１８ｃの幅を小さくするようにして実施してもよい。このようにすれば、電磁コイル１７によりステータ１１が磁化された際の磁束Ｇが通る位置はヨーク１２の内孔１１ａの内面から一層離れるので、露出された内孔１１ａの内面の帯磁はさらに減少される。
【００２８】
また上述した実施の形態では、プランジャ１６の本体部１６ａと帯磁防止部１６ｂの結合は、帯磁防止部１６ｂの一端に形成した突起を本体部１６ａの先端に形成した穴に圧入することにより行っているが、本体部１６ａの先端に形成した突起を帯磁防止部１６ｂに形成した穴に圧入して行ってもよいし、後の場合には帯磁防止部１６ｂを環状として本体部１６ａの先端の突起に圧入するようにしてもよい。
【００２９】
次に図２に示す変形例の説明をする。この変形例はプランジャ１６は磁性体のみからなるものとし、ヨーク１２を本体部１２ｂと帯磁防止部１２ｃよりなるものとした点が図１に示す実施の形態と異なるだけであるので、主としてこの相違点について説明する。
【００３０】
この変形例のヨーク１２は、磁性体よりなる本体部１２ｂの空間Ａ側となる端部に内孔１１ａと同軸的にやや大径の嵌合孔１２ｄを形成し、この嵌合孔１２ｄに内孔１１ａと同一内径の非磁性体よりなる環状の帯磁防止部１２ｃを圧入固着し、嵌合孔１２ｄの奥部と帯磁防止部１２ｃの間に異物除去溝１９ａを形成したものである。この帯磁防止部１２ｃの軸線方向長さは、プランジャ１６の最大ストロークＣよりも大きくし、また最大ストロークした状態において、ヨーク１２の大径部のうち帯磁防止部１２ｃおよび異物除去溝１９ａを除く磁性体により形成される本体部１２ｂの内面の範囲と、全体が磁性体により形成されるプランジャ１６の外面の全範囲が、相当な長さにわたり重合されて必要な磁束を確保できる程度に充分小さくしている。これ以外の構成は、プランジャ１６が磁性体のみからなるものである点を除き、前述した実施の形態と同一であるので、同一部分に同一の符号を付して示すだけとし、詳細な説明は省略する。
【００３１】
電磁コイル１７（図示省略）に通電され、ステータ１１が磁化されて、図２の下半部に示すようにプランジャ１６がスプリング２４に抗して移動された状態では、磁束は主として磁性体よりなるヨーク１２の本体部１２ｂ内を通り、空間Ａ内に露出される内孔１１ａの内面を形成する非磁性体の帯磁防止部１２ｃは磁化されない。従って前述した実施の形態と同様、空間Ａ内のオイル中に浮遊する鉄粉が磁力により内孔１１ａの内面に吸着されることはなく、一旦付着された鉄粉も比較的容易に離れる。従って、このような鉄粉が互いに摺動するヨーク１２とプランジャ１６の間に入り込んでプランジャ１６の動きを悪くしたり、プランジャ１６をロックさせたりするおそれはなくなり、あるいはそのような状態に達するまでの時間を延ばすことができる。またこれによりプランジャ１６の動きが軽くなるので、電磁コイル１７を小さくして電磁弁を小形化することができる。異物除去溝１９ａの作用および効果は、前述した実施の形態で述べたのと同じである。
【００３２】
なお上述した各実施の形態では、プランジャ１６に帯磁防止部１６ｂを設けた例と、ヨーク１２に本体部１２ｂを設けた例を示したが、本発明はプランジャ１６には帯磁防止部１６ｂを設けヨーク１２には本体部１２ｂを設けるようにして実施してもよい。また異物除去溝１９，１９ａは内孔１１ａの内面に形成した例を示したが、異物除去溝はプランジャ１６の外周面に形成してもよい。
【図面の簡単な説明】
【図１】本発明による電磁弁の一実施形態を示す長手方向断面図である。
【図２】図１に示す実施の形態の変形例を示す部分断面図である。
【図３】従来技術による電磁弁の一例を示す長手方向断面図である。
【図４】図３の４−４断面図である。
【符号の説明】
１１…ステータ、１１ａ…内孔、１２…ヨーク、１３…コア、１４…カバー、１６…プランジャ、１７…電磁コイル、１８…吸排通路、１９，１９ａ…異物除去溝、２１…弁スリーブ、２２…スプール、２４…スプリング、Ａ…空間。
【図１】
2004232749.tif 000003
【図２】
2004232749.tif 000004
【図３】
2004232749.tif 000005
【図４】
2004232749.tif 000006